Podtech/llm-jp-corpus-v4-ja_patent huggingface dataset:
(57)【要約】 【課題】  ネジ押え方式の接続ターミナルで先開形端子を使用しているとき、電線の揺すれ、振動などによるネジのゆるみによる接続不良や、端子が脱落による他の導体などの接触事故を起こさない先開形端子を提案する。【解決手段】  本考案は接続ターミナル７のネジ直径より小さく狭め端子平面に対して立上げ折り曲げられた先端部２とネジ６で圧接される部分をたわみ盛り上げた形状をしたバネ部３、ネジ６の回り防止の突起４を持った構造を特徴とする。    【選択図】        図３      
0003102875.tif 000002
【実用新案登録請求の範囲】
【請求項１】
先開形端子の開口先端部分が接続ターミナル７のネジ直径より小さく狭め端子平面に対して立上げ折り曲げられた先端部２とネジの６で圧接される部分にバネワッシャ作用を持ったバネ部３、ネジ６の回り止めの突起４を持った構造を特徴とする先開形端子。
【考案の詳細な説明】
【技術分野】
【０００１】
本考案はネジ押さえ方式の接続ターミナルから脱落防止の先開形端子に関する考案である。
【背景技術】
【０００２】
図１は従来より用いられる先開形端子の構造で、ネジ押え方式の接続ターミナル７などに使用されている。電線５は圧着かハンダ付けされるものである。この端子１は電線５の揺すれ、振動などによって動くとネジ６がゆるみ、端子１が脱落して接続不良になったり、他の導体などに接触して事故を起こす原因になる。
【非特許文献１】株式会社ニチフ  銅線用裸圧着先開形カタログ
【考案の開示】
【考案が解決しようとする課題】
【０００３】
本考案は電線５の揺すりや振動による、接続ターミナル７と電線５との接続不良及び端子１の脱落を防止する構造にすることである。
【課題を解決するための手段】
【０００４】
本考案は図３に示すように、接続ターミナル７のネジ直径より小さく狭め端子平面に対して立上げ折り曲げられた先端部２とネジ６で圧接される部分をたわみ盛り上げた形状をしたバネ部の３、ネジ６の回り防止の突起４を持った構造とすることで解決する。
【考案の効果】
【０００５】
本考案は電線の揺すりや振動による、端子の脱落や、接続ターミナルと電線との接続不良を防止することが出来る。      
【考案を実施するための最良の形態】
【０００６】
本考案は先端部２がネジ６の直径より小さく狭めてあるのでネジ６がゆるんだ状態でも脱落しない。バネ部３は圧接バネワッシャの作用でネジ６を常に押し上げ、突起４によるネジ６の回り防止により、電線の揺すりや振動によるネジ６のゆるみや、それによる端子１が脱落して接続不良になったり、他の導体などに接触して事故を起こす原因を防止することが出来る。      
【実施例１】
【０００７】
図３は本考案の先開形端子の図である。図４は本考案の先開形端子８が接続ターミナル７とネジ６の間を通過せんとする状態を示している。、先端部２はネジ直径より小さいので、先端部２はネジ６の直径の大きさまで拡がり、ネジ６を通過すると図５のように元の状態に復帰してネジ６で締付けることができる。この状態では、バネ部３が圧接バネワッシャ作用で、ネジを常に押上げ、回り止め突起４のため電線５の揺すりや振動によってネジ６がゆるむおそれが無くなり、また先端部２がネジ６の直径より小さいので、ネジ６の締め付けが悪い場合でも脱落することは無くなる。
【産業上の利用可能性】
【０００８】
振動が多い場所に設置された装置などに使用することで、電線との接続不良によるシステム全体の不具合をなくすことができる。
【図面の簡単な説明】
【０００９】
【図１】従来の先開形端子の図
【図２】ネジ止め式の接続ターミナルに取り付けた状態の図
【図３】本考案の先開形端子の図
【図４】接続ターミナルに取り付けようとする状態の図（実施例１）
【図５】接続ターミナルのネジによって固定された状態の図（実施例１）
【符号の説明】
【００１０】
１  端子    
２  先端部
３  バネ部
４  突起
５  電線
６  ネジ
７  接続ターミナル
８  本考案の先開形端子
【図１】
0003102875.tif 000003
【図２】
0003102875.tif 000004
【図３】
0003102875.tif 000005
【図４】
0003102875.tif 000006
【図５】
0003102875.tif 000007
(57)【要約】      （修正有）【課題】防水で、小型で、持ち運び可能で、長時間使用可能な照明器具を提供する。【解決手段】発光ダイオードを使用した発光部分と、バッテリー（乾電池）部分を接着した照明器具を透明な袋に入れて入口を密閉して作る。【選択図】図３
0003102872.tif 000002
【実用新案登録請求の範囲】
【請求項１】
発光ダイオードを使用した、持ち運び可能で、安全な長時間使用可能な照明器具。
【請求項２】
透明な袋に入れて防水にした、持ち運び可能で、安全な長時間使用可能な照明器具。
【考案の詳細な説明】
【考案の詳細な説明】
【技術分野】
【０００１】  本考案は、発光ダイオードを使用した、持ち運び可能で、安全な長時間使用可能な照明器具に関するものである。
【背景技術】
【０００２】  従来、結婚式などのセレモニーや、建物の夜間ライトアップの時に使用する持ち運び自由な明りの装飾は、ローソクやオイルランプが使われていた。あるいは白熱電球の照明なども使われていた。【０００３】  また、防水の照明器具となると、器具全体を防水設計にしていた為、コストが高くついていた。
【考案が解決しようとする課題】
【０００４】  これらは、ロウや油の燃焼作用を利用する為、炎が出るもであるから、火災の危険がある。
【０００５】  白熱電球の照明では、通常配線コードが必要な為、自由に動かす事は出来ない。またバッテリー（乾電池）式のものでは、消費電流が多く、長時間点灯が出来ない。
【０００６】  そこで、本考案は、火災の危険もなく、どこでも置けばすぐに明りの装飾となる、長時間使用可能な照明器具を提供することを目的とする。
【０００７】  また上記の考案では、どこにでも自由に置く必要がある為、屋外でも使用可能な防水照明でなくてはならない。
【課題を解決する為の手段】
【０００８】  上記課題を解決する為に、本考案に係る発光ダイオードを使用した、持ち運び可能で、安全な長時間使用可能な照明器具は以下のように構成する。すなわち、発光部分（１）とバッテリー（乾電池）部分（２）とを作り、接着して作る。構造が簡単な為、大変小型軽量でどこにでも持ち運びができる。
【０００９】  発光部分（１）は、光源に発光ダイオードを使用するため、炎もださず、発熱量もごく微量であるため、火災の危険は殆ど無い。また、消費電流も少なく、長時間点灯可能である。
【００１０】  電源はバッテリー（乾電池）を使用するため、配線が不要である。したがって、電気工事も必要なく、またどこにでも自由に置く事ができる。
【００１１】  用途が明りの装飾であるため、広い面積が、発光していなくてはならない、発光ダイオードだけでは、発光ダイオード自体の大きさしか光らないが、光拡散物（５）を回りに置くことによって、光拡散物（５）全体が光っている様に見え、装飾として使用できる。また、光拡散物（５）の色を変えるだけで、色々な色のバリエーションの照明器具ができる。
【００１２】  小型で屋外でもどこにでも置けるには、防水でなければならない、そこで、器具に防水設計するのではなく、器具自体を透明な袋に入れる事によって、防水する。これによって、コストはかなり抑える事ができる。また袋を使用する事で、持ち手が出来、一段と持ち運びが便利になる。
【考案を実施するための最良の形態】
【００１３】  図１は本考案の斜視図であり、図２は本考案の断面図である。図３は、袋に入れた状態の斜視図である。【００１４】  発光部分（１）は、内部にある発光ダイオード（３）によって照らされて、全体が明るくなる。また、発光ダイオード（３）はバッテリー部分（２）の内部にある、バッテリー（乾電池）の電流で発光する。【００１５】  透明袋（６）に入れ口を密閉することにより、防水にもなり、持ち手（７）が出来る為、一段と便利になる。
【考案の効果】
【００１６】  本考案は上記の様に構成されているから、非常に小型で簡単に持ち運びが出来、発光面積が大きく、安全な照明器具である。結婚式場の明かりの演出や建物などのライトアップなどの際その効果は顕著となる。例えば、絨毯が敷かれた場所でも、建物の回りに置いても、火災の心配が無く、ドレスが引っかかったり、蹴ってしまったりしても、安全である。また、イルミネーションの様な小さい光源ではなく、広い面積が光る為、演出照明器具として、非常にすぐれている。また、小型で何処にでも置けるため、必要な時、必要な場所に、必要なだけ使用する事ができる。透明袋に入れた照明器具は、屋外に置いて長時間点灯させても、天候などの心配も不要、漏電の心配も不要である。
【図面の簡単な説明】
【図１】「請求項１」の斜視図である。
【図２】「図１」の断面図である。
【図３】「請求項２」の斜視図である。
【符号の説明】
１、発光部分  ２、バッテリー（乾電池）部分            ３、発光ダイオード  ４、バッテリー（乾電池）            ５、光拡散板  ６、透明袋  ７、持ち手
【図１】
0003102872.tif 000003
【図２】
0003102872.tif 000004
【図３】
0003102872.tif 000005
(57)【要約】 【課題】  バインディング・ポストと云われる接続ターミナルで、接続した電線が電線の揺すりや振動などによって、接続ターミナルと電線との接続不良が起こらない構造を持つ接続ターミナルを提案する。【解決手段】  本考案は、ネジ部分を持ったノブ１とノブ１の回転により上下するプランジャー２と接続電線６の挿入部を持ちノブ１のネジ部に嵌合するネジ部を持ったボディー３と取り付け板４と接続ターミナルを固定するナット５及びプランジャー２を接続電線６に圧接させるための圧接バネワッシャ７で構成され、プランジャー２とノブ１の間に圧接バネワッシャ７を挿入した構造を特徴とする。  【選択図】        図２      
0003102874.tif 000002
【実用新案登録請求の範囲】
【請求項１】
本考案は電線をノブで圧接する構造を持った接続ターミナルの中に圧接バネワッシャを挿入した構造をもつ接続ターミナルである。
【考案の詳細な説明】
【技術分野】
【０００１】
本考案はバインディング・ポストといわれている接続ターミナルの構造に関する考案である。
【背景技術】
【０００２】
図１はプランジャーで接続電線を圧接接続する従来より用いられている接続ターミナルの断面図である。プランジャー２はネジ部分を持ったノブ１とに結合し、ノブ１の回転によりプランジャー２が上下する。ボディー３は接続電線６の挿入部を持ち、ノブ１のネジ部に嵌合するネジ部分を持つ。ナット５は取付け板４と接続ターミナルを固定する。接続電線６は接続ターミナルに挿入された状態を示している。この構造のものは、ノブ１を回転しプランジャー２が電線を圧接し接続しても、電線の揺すれ、振動などによってノブ１がゆるんで接続不良になることがあった。
【非特許文献１】サトーパーツ株式会社  ターミナルカタログ
【考案の開示】
【考案が解決しようとする課題】
【０００３】
本考案は電線の揺すりや振動などによる、接続ターミナルと電線との接続不良を防止することが出来る構造にすることである。      
【課題を解決するための手段】
【０００４】
本考案は接続ターミナルのプランジャー２とノブ１の間に圧接バネワッシャ７を挿入する。このバネの作用により接続ターミナルと電線が常に圧接された状態になり接触し続ける。
【考案の効果】
【０００５】
本考案は圧接バネワッシャ７をプランジャー２とノブ１の間に挿入することで、電線の揺すりや振動による、接続ターミナルと電線との接続不良を防止することが出来る。
【考案を実施するための最良の形態】
【０００６】
本考案はプランジャー２とノブ１の間に圧接バネワッシャ７を挿入した構造のため、圧接バネワッシャ７がノブ１の回転によりさらにプランジャー２を押し、電線の揺すりや振動によるノブ１のゆるみによって起こる接続ターミナルと接続電線６との接続不良を防止する。      
【実施例１】
【０００７】
図２は本考案の接続ターミナルの断面図である。接続ターミナルはネジ部分を持ったノブ１とノブ１の回転により上下するプランジャー２と接続電線６を挿入部を持ちノブ１のネジ部に嵌合するネジ部を持ったボディー３と取り付け板４に接続ターミナルを固定するナット５とプランジャー２を接続電線６に圧接させるための圧接バネワッシャ７で構成される。
【０００８】
圧接バネワッシャ７はプランジャー２とノブ１の間に挿入される。接続電線６をボディ３に挿入し、プランジャー２でノブ１の回転により接続電線６を圧接し、更にノブ１を回転し圧接バネワッシャ７を圧迫する。この状態では常にプランジャー２と接続電線６は圧接状態になっているので、電線の揺すりや振動によってもノブ１のはゆるまず、接続ターミナルと接続電線６との接続不良を防止することが出来る。    
【産業上の利用可能性】
【０００９】
振動が多い場所に設置された装置などに使用することで、電線との接続不良によるシステム全体の不具合をなくすことができる。
【図面の簡単な説明】
【００１０】
【図１】従来の接続ターミナルの断面図
【図２】本考案の接続ターミナルの断面図
【符号の説明】
【００１１】
１  ノブ    
２  プランジャー
３  ボディー
４  取り付け板
５  ナット
６  接続電線
７  圧接バネワッシャ
【図１】
0003102874.tif 000003
【図２】
0003102874.tif 000004
(57)【要約】      （修正有）【課題】場所を問わず、簡単に片手で天紙を取ることができて、盛り付けの時間を短縮して、もっと暖かい料理の提供を可能にする。【解決手段】プラスチック製蓋付きの箱の裏側に、磁石を取り付けて、使いやすい身近な場所に置いて、綺麗に同じ折り目で折ってある天紙を入れ替えができるようにした。天紙箱本体１の開閉できる二つの蓋を付けて、両側の蓋には細長い穴を空ける。天紙を使い終わったら、蓋を開いて天紙を入れて、蓋を閉じる。真ん中にある穴から、天紙を一枚ずつ取って、そのまま皿に引いて使うことができて、効率的に仕事ができる。【選択図】図１
0003102871.tif 000002
【実用新案登録請求の範囲】
【請求項１】
天紙箱本体の裏側に磁石を付けて、場所を問わず、綺麗に折ってある天紙を、片手で簡単に取ることができて、綺麗に盛り付けた料理を、できるだけ速く、お客様に提供できることを特徴とする天紙箱である。
【考案の詳細な説明】
【技術分野】
【０００１】    本考案は、綺麗に折ってある天紙を入れ替えできる天紙箱に関するものである。
【背景分野】
【０００２】    飲食店などで、出来上がった天ぷらを盛り付ける時、天紙を一枚ずつ取り出して、折って皿に引いて使ってきた。
【考案の開示】
【考案が解決しようとする課題】
【０００３】    一枚ずつ取り出して、折って使うには、時間的に負担である。さらに、折り目が全部綺麗に一緒になることは非常に難しいことである。従って、折ってある天紙を箱に入れて使うことによって、片手で簡単に使うことができて、前述の欠点を解決しようとするものである。
【課題を解決するための手段】
【０００４】    本考案は、プラスチック製蓋付きの箱の裏側に、磁石を取り付けて、使いやすい身近な場所に置いて、綺麗に同じ折り目で折ってある天紙を入れ替えができるようにすることにより問題点を解決している。
【考案の効果】
【０００５】    上述のように、本考案は身近な場所に置いてある天紙を片手で簡単に取ってそのまま使うことによって、出来立ての料理を、できるだけ暖かいうちに、お客様に提供することが可能になる。
【考案を実施するための最良の形態】
【０００６】    天紙箱の蓋は両側の蓋を閉鎖したとき、真ん中に細長い穴を付ける。両側に開閉できるようにし、蓋を開いて、折ってある天紙を入れ替えができる。また閉じた時、蓋の真ん中にある穴から、片手で天紙を一枚ずつ取ることができるようになる。
【図面の簡単な説明】
【０００７】
【図１】本考案の天紙箱の実施例を示す正面図である。
【図２】磁石が取り付けられている本天紙箱の背面図である。
【図１】
0003102871.tif 000003
【図２】
0003102871.tif 000004
(57)【要約】      （修正有）【課題】ゴルフのスコアカードの記入の煩わしさを解消すると同時に、メンバーのスコアの記入の手間を省き、記入の誤りを少なくする。【解決手段】ブルーツースのような近距離無線通信手段と、コンパクトな液晶などの表示装置2と選択ボタン1をカード状に一体化して、個人のスコアの書き込みをボタンで行い、メンバーのスコアの記入、表示を無線通信を使い、カードのコンピュータで自動的に行うようにした。【選択図】図１
0003102841.tif 000002
【実用新案登録請求の範囲】
【請求項１】
少なくとも、液晶、ＯＥＬなどを用いた表示装置と、
ブルーツースなど近距離用無線通信機能と、
プレイヤーのデータを記憶、処理し全体を制御する役割を担うＣＰＵ機能、メモリ機能を有する、
通信機能付き携帯ゴルフスコアカード。
【考案の詳細な説明】
【考案の詳細な説明】
【考案が解決しようとする課題】
【０００１】ゴルフ場で複数でプレーしたときに、お互いのスコアーを間違いなく記入したり、わざわざ記入することは面倒である。
本考案は上記の問題を解決するものである。
【課題を解決するための手段】
【０００２】本考案は、各プレーヤーのスコアを表示するための液晶ディスプレイ等のコンパクトで、低消費電力の表示装置、各プレーヤーのデータを近い距離内で相互に交換するためのコンパクトな相互通信システ厶として、ブルーツースなどの近距離通信システム、それらのシステムを稼動、コントロールするためのＣＰＵとメモリを一つのユニットの中に組み込み、上記問題を解決する。
【実施例】
【０００３】２は各プレーヤーのスコアを表示する表示部で液晶ディスプレイを用いている。勿論、液晶以外の有機ＥＬやパウダーを用いた表示装置でもいい。
ただし、コレステリックＬＣのようなメモリー機能のある液晶表示装置が最も消費電力が少なく携帯に適している。
１は  本考案の装置を操作するためのスイッチである。１つのホールが終わると、自分のスコアを入力し、転送スイッチを押せば、ＣＰＵが自動的に一緒にプレーしているメンバーのスコアカードとコミュニケーションして、それぞれのスコアを、相互に送りあう。３はブルーツースの発信、受信部と、このカードの全体の機能を制御するＣＰＵ，データを格納するメモリを搭載した回路部である。
各ホールのスタート地点の近傍に来れば、スコアの記入を自動的に催促し、各自が自分のスコアを記入し終われば、自動的に、メンバーのカードにデータを送り込む。
４はこのスコアカードを駆動するための電池である。カードを軽くするためにポリマーバッテリーが適している。
５は外装ケースである。全体の部材をコンパクトなカードタイプの外装ケース内に収納している。
２の表示装置は、軽くて壊れないためプラスティックディスプレイが望ましい。暗くなっても読めるためには、自発光型のプラスティック有機ＥＬも適している。
本考案はクラブハウスのカウンターでプレイヤーの名前を登録する時に、カウンターのマザーシステムから各プレイヤーが携帯するスコアカードに自動的にプレイヤーの名前を入力しておくことができる。
また各スコアカードにはそのクラブの各コースのデータも予め入力しておくこともできる。
プレイヤーは適時そのデータを参考にすることも出来る。
またプレーの記録はメモリーに記憶して、いつでも取り出すことが出来る。
【考案の効果】
【０００３】本考案のスコアカードを使うことによって、各人のスコアの記入の面倒がなくなり、しかもその誤りも解消でき、プレイを気持ちよく続けることができるようになり、心理的な負荷の解消が図れ、プレイヤーの生活に非常に有意義である。
【図面の簡単な説明】
【図１】本考案の側面図である。
【図２】本考案の正面図である。
【図３】本考案のブロック図である。
【符号】
１  操作ボタン
２  プラスチック液晶表示装置
３  通信機能＆制御機能搭載基板
４  ペーパーバッテリー
５  外装ケース
【図１】
0003102841.tif 000003
【図２】
0003102841.tif 000004
【図３】
0003102841.tif 000005
(57)【要約】      （修正有）【課題】足も手も殆ど動かせない高齢者や身体障害者を車に乗せたりベットに移らせたりするためには若く力の強い介護者の助けがいる。しかし、いつもその身の回りに若い介護者が居る訳では無い。真夜中等の緊急時に車やベットに乗り移らせなければならないことは必ず起こる。老々介護を助ける手軽な昇降用器機は見当たらない。【解決手段】小荷物運搬用の車輪台に折り畳みスツールを設置して、そのスツールを除々に開いて行くことに依り高さが変わっていくことで、昇降用器機に構成した。車輪台上の折り畳みスツール迄は患者を丈夫なそれ用の敷き布に座らせて滑らせて乗せ、スツールをてこの原理で開いて行くことに依って目的の高さに達する。その反対の動作によって目的の低さに戻すことが出来る。その作業は介護者の手と足を以て行える。また、この作業は電動モーターを取り付けることで代替えも出来る。【選択図】図１
0003102844.tif 000002
【実用新案登録請求の範囲】
【請求項１】
簡易昇降用車椅子において
（１）昇降部分は折り畳みスツールを開いたり閉じたりすることによって上下する構造。
（２）車部分は小荷物運搬用の車輪台で作られており、折り畳みスツールの前脚部分を固      定して設置し、使用したい場所へたやすく移動できる。
（３）折り畳みスツール後脚を開いたり閉じたりさせるハンドルは車輪台の手押しとなる。
（４）後ろの車輪と手押しハンドルはストッパーを付けて安定させる。
（５）折り畳みスツール後脚と車輪台との接着部分はコロを付けて滑りを良くする。
以上からなる簡易昇降用車椅子。
【考案の詳細な説明】
【技術分野】
【０００１】  本考案は、高齢者や身体障害者が車やベットに乗り移る際の段差移動の手助けをする介護福祉器機である。
【背景技術】
【０００２】  足も手も殆ど動かせない高齢者や身体障害者を車に乗せたりベットに移らせたりするためには若く力の強い介護者の助けがいる。しかし、いつもその身の回りにその様な介護者が居る訳では無い。真夜中等の緊急時に車やベットに乗り移らせなければならないことは必ず起こる。老々介護を助ける極めて必要な昇降用器機は見当たらない。【０００３】  超高齢社会の到来と共に介護器機の開発はメディア等に依って細密機械が紹介されているが、現実の老々介護の家庭には難解な操作を必要とする昇降器機は扱いきれない。簡単に扱える昇降器機が早急に必要なのである。
【考案の開示】
【考案が解決しようとする課題】
【０００４】  解決しようとする問題点は、患者を、床からベットの高さまでの段差移動や車に乗り移らせる時の手軽な昇降用の道具が無いということである。
【課題を解決しようとするための手段】
【０００５】  本考案は、小荷物運搬用の車輪台に折り畳みスツールを設置してそのスツールを除々に開いて行くことに依り高さを変えていき段差移動を可能とする。
【考案の効果】
【０００６】  車輪台のスツールの高さ迄は患者をそれ用の敷き布を滑らせて乗せ、その折り畳みスツールをてこの原理で開いて行くことに依って高め、目的の高さに至る。また、その反対の動作によって目的の低さに戻すことが出来る。その一連の作業は介護者の手と足を以て行える。また、この作業は電動モーターで代替え出来る。
【考案を実施するための最良の形態】
【０００７】  基盤となる台は小荷物運搬用の車輪台で構成する。まず、頑丈な車輪とそのストッパーで車体が安定出来る。７０ｋｇの体重の患者を５０ｋｇの介護者がこの器機で持ち上げるためスツールの脚が頑丈な鉄鋼で作られる。又、逆滑りを防ぐために頑丈なストッパーがスツールの後脚手押し滑らし箇所にも付けられる。このストッパーは足で操作する。
【実施例１】
【０００８】  車輪台を安定させるために、車軸の上に台を乗せ、車輪は台の外側に位置して全体を低めとする。後部車輪にはストッパーが付く。前輪は回転可能である。【０００９】  車輪台に装置する折り畳みスツールの脚及び手押し部分は頑丈な鉄鋼で構成し、７０ｋｇの体重に耐え得る物とする。【００１０】  車輪台に装置する手押し部分はスツール後脚を押して昇降させる最も重量の掛かるところであるために滑りの良いコロを車輪台との接着部分に装置する。しかし、滑って逆転しないように台中央には手押し部分止め用のストッパーが付く。降ろす時には足でストッパーを解除しながら後退する。コロは必要に応じて出し入れが効く装置を付ける。【００１１】  スツール前脚は台に固定されていてこの昇降用のスツールが開く支点の役目を果たす。【００１２】  スツール座部は軽量でありながら強い素材とする。患者が横向きに座る長方形とする。横座りはベットや車の座席に移り易いからである。長時間座る座席では無い。【００１３】  スツール後脚を押す手押し部分は取り外せて収納時のコンパクト化を計れる。又、この手押し部分は立ててスツール座部後面に固定したり、倒して重りの役をする。【００１４】  目的の高さに至った後ベットや車の座席に移る際にはそれ用の滑りの良い丈夫な布を尻の下に敷き、患者毎それを引っ張り滑らせて乗り移る。シンプルではあるが確実である。【００１５】  患者の足を安定させるために取り外しはめこみ式足乗せロープを車輪台に設置出来る。【００１６】  患者が掴めるように取り外しはめこみ式手摺を車輪台に設置出来る。【００１７】  全体の重量は安定のために重いが形は小型なため移動や収納がたやすい。【００１８】  細密機械の扱いが苦手な老々介護者のためには手動で扱うのが望ましいが、電動モーターでスツール部分を動かせるようにも出来る。
【産業上の利用可能性】
【００１９】  今だ、このような小型昇降機は見当たらない。しかし、これからの超高齢化社会には老々介護をしなければならない状況に必ずなる。その介護者を守る必要がある。そのためには本考案は一家庭にひとつ常備して置くことが望ましい。また本考案の用途は場合によっては品物運搬にも適している。利用可能性は広い。
【図面の簡単な説明】
【００２０】
【図１】簡易昇降用車椅子を介護用ベットの位置まで高めた図（取り外しはめこみ式足乗せロープ付き）
【図２】簡易昇降用車椅子を乗用車座席の位置まで高めた図（取り外しはめこみ式手摺付き）
【図３】簡易昇降用車椅子を閉じて手押しハンドルを座部に固定した図。（座席移動用引っ張り敷き布を添えた図）
【符号の説明】
【００２１】  １  簡易昇降用車椅子座部（横座り用）
２  車輪台
３  回転式前輪
４  ストッパー付き後輪
５  手押しハンドル（立てることも可）
６  手押しハンドルストッパー
７  コロ
８  取り外しはめこみ式足乗せロープ
９  取り外しはめこみ式手摺
１０  座席移動用引っ張り敷き布
１１  立てた手押しハンドル
【図１】
0003102844.tif 000003
【図２】
0003102844.tif 000004
【図３】
0003102844.tif 000005
(57)【要約】【課題】  陶器製で漆塗りのビール用コップの提供。【解決手段】  生漆をテレピン油でうすめ、これを素焼の陶器製コップの表面に数回に亘って塗布し、コップの表面に積層状態をなす漆の塗布膜を形成した。【選択図】  図１
0003102889.tif 000002
【実用新案登録請求の範囲】
【請求項１】
生漆をテレピン油でうすめ、これを素焼の陶器製コップの表面に数回に亘って塗布し、コップ表面に積層状態をなす漆の塗布膜を形成してなるビール用コップ。
【考案の詳細な説明】
【技術分野】
【０００１】  本考案は、素焼の陶器製コップの表面に漆を塗布してなるビール用コップに関するものである。
【背景技術】
【０００２】  従来ビール用コップには、ガラス製、木製のコップが一般的に使用されているが、特殊なものとして陶器製コップも少量ではあるが市場に提供されている。
【考案の開示】
【考案が解決しようとする課題】
【０００３】  本考案は、前記従来の一般的に知られているビール用コップに比し趣の異なった斬新的なビール用コップの提供を目的としたものである。
【課題を解決するための手段】
【０００４】  本考案は、前記の目的を達成する手段として、生漆をテレピン油でうすめ、こりを素焼の陶器製コップの表面に数回に亘って塗布し、コップ表面に積層状態をなす漆の塗布膜を形成したものである。
【考案の効果】
【０００５】  素焼の陶器製コップは、表面がザラついており、生漆を塗布すると素焼の微細な気孔内に漆成分がしみこみ、これを数回塗布することでコップのザラついた表面に漆独特の色艷が表れ、従来品に全く見られなかった趣向の異なる使用感良好なコップが得られると共にビールの泡ツブが細かくなり、熱の伝導率も少ないので冷えた状態を長く保持でき、ビールの味自体が非常に美味なものとなる利点を有するものである。
【考案を実施するための最良の形態】
【０００６】  本考案の具体的な構成を図に基づいて説明すると、素焼の陶器製コップ１（上薬を使用してないもの）の表面に漆２を塗布したものである。
而して、漆２は、生漆をテレピン油で適度にうすめ、これを数回に亘って塗布し、コップ１の表面に積層状態をなす漆の塗布膜ａ，ｂ，ｃ，ｄを形成したものである。漆を塗布する工程として生漆をテレピン油でうすめ、これをハケ等でコップ１の表面に塗布し、ムロで１日−２日間乾燥させ、この工程を４回−５回程度繰返して製品を得ることになる。
【産業上の利用可能性】
【０００７】  本考案に係るコップは、ビール専用としてばかりでなく一般的に他のコップと同様に広範囲の使用に供することが可能である。
【図面の簡単な説明】
【０００８】
【図１】  コップの斜視図
【図２】  要部を示す断面図
【符号の説明】
【０００９】  １  コップ
２  漆
【図１】
0003102889.tif 000003
【図２】
0003102889.tif 000004
(57)【要約】【課題】  毛染めの作業時において、道具類は従来、別々の場所から持ち寄らなければならず迅速な作業時の非効率化につながっていた。【解決手段】  毛染め作業に必要な道具類を全て一つの作業台に収納できる。又、作業に必要なロール状アルミ箔を取り付ける軸を設けてあり、更に作業者が一人で手元で作業できるよう、移動可能な車輪を取り付けた。【選択図】  図１
0003102830.tif 000002
【実用新案登録請求の範囲】
【請求項１】
木製又はスチール等のワゴン１にロールタイプのアルミホイル１３を備え付け色分けしたアルミホイル１３を切り離し髪をアルミホイル１３に乗せてカラー剤を塗りアルミホイル１３を折りたたむ為の道具
【考案の詳細な説明】
【考案の詳細な説明】
【考案が解決しようとする課題】
【０００１】  従来、いわゆるアルミホイル切り離し機は存在していたが単体の為無くなるとアルミホイルをすぐに補充する事が出来ないという問題点を有していた
【課題を解決するための手段】
【０００２】  上記目的を達成するためにキャスター付毛染めワゴンにアルミホイル切り離し機を兼ね備えるようにした
【考案の効果】
【０００３】  毛染めを施術中であってもアルミホイルをすぐに補充する事ができる。また髪の長さによってアルミホイルの長さを素早く調節する事が出来る。
【図面の簡単な説明】
【図１】毛染め専用多機能作業台の斜視図である。
【図２】毛染め専用多機能作業台の背面図である。
【図３】毛染め専用多機能作業台の正面図である。
【符号の説明】
１  多機能作業台  ２  アルミホイル軸  ３  軸受け  ４  アルミホイルカッター  ５  タイマー磁石用メタルの飾り  ６  ヘアコームの立てる穴  ７  ラップ立て  ８  筆立て  ９  移動用車輪  １０アルミホイル立て  １１タオルかけ  １２作業台  １３アルミホイルロール
【図１】
0003102830.tif 000003
【図２】
0003102830.tif 000004
【図３】
0003102830.tif 000005
【手続補正書】
【提出日】平成15年10月14日(2003.10.14)
【手続補正１】
【補正対象書類名】実用新案登録請求の範囲
【補正対象項目名】全文
【補正方法】変更
【補正の内容】
【実用新案登録請求の範囲】
【請求項１】
材質は木製又はスチールでテーブルを支える支柱を１本の細い柱にして軽量化を図り、アルミを切りやすくするために２枚構造のテーブルの上方を短く設計し、本来別々の器具であったアルミホイルカッターと移動式ワゴンを１つに組み合わせ用途を容易且つ多様にした所を特徴とするハイライト用毛染めキャスター付ワゴン。
【手続補正書】
【提出日】平成15年11月17日(2003.11.17)
【手続補正１】
【補正対象書類名】図面
【補正対象項目名】全図
【補正方法】変更
【補正の内容】
【図１】
0003102830.tif 000006
【図２】
0003102830.tif 000007
【図３】
0003102830.tif 000008
【手続補正書】
【提出日】平成16年2月3日(2004.2.3)
【手続補正１】
【補正対象書類名】実用新案登録請求の範囲
【補正対象項目名】全文
【補正方法】変更
【補正の内容】
【実用新案登録請求の範囲】
【請求項１】
材質は木又はスチールでテーブルを支える柱を一本の細い柱にして軽量化を図り、上部の２枚構造のテーブルの間に横水平な棒を取り付け、ロール状のアルミホイルを収納できるようにし、さらに下方のテーブルの端にアルミカッターを備え付けたことを特徴とする毛染め用ワゴン。
(57)【要約】【課題】本考案は、展示用の花飾りを容易に発送、梱包、新設組付、撤去、破棄できる事を目的として、展示花飾り品の取扱業者の負担を軽減する。【解決手段】棒軸（１）に、造花花びら（３）の花びら下部（２）を巻付けて、割管（４）を棒軸（１）に挿入して、花びら下部（２）を固定し、これにより棒軸（１）に、造花花びら（３）を装着する。【選択図】      図  １【実用新案登録請求の範囲】
【請求項１】
棒軸（１）に、造花花びら（３）の花びら下部（２）を巻付けて、割管（４）を棒軸（１）に挿入して、花びら下部（２）を固定し、これにより棒軸（１）に、造花花びら（３）を装着して設けてなる、展示花びら飾り。
【考案の詳細な説明】
【技術分野】
【０００１】  本考案は、自動車販売センター等の展示セレモニーで使用する飾り品に関するものである。
【背景技術】
【０００２】  従来、このような展示飾り品、例をあげれば造花の飾り等は、針金類、接着剤で装着していた。
【考案の開示】
【考案が解決しようとする課題】
【０００３】  時代と共にものの考え方が変化しており、ファッション的なものも特に展示会は、短期間開催で次ぎ次と変化する、つまり展示サイクルが早くなり、それと共に花飾り等も新設、組立、分解撤去、移動、破棄、環境対策等さまざまな、諸条件を満たす中で、素早く動かなければならない。従来の展示飾り品は縛りつけたり、接着剤で装着したりするので時間がかかり、撤去する場合も取り外しに時間がかかるので、そのような手間は取れないのである。また、破棄する場合に環境を悪くするものばかりで処理に大変である。
本考案は、このような問題を改善する為になされたものである。
【課題を解決するための手段】
【０００４】  造花花びら（３）に花びら下部（２）を設けて、この花びら下部（２）を棒軸（１）に添わせて軽く巻き付けて、割管（４）を棒軸（１）に対して、巻き付いている花びら下部（２）ごと、挿入して被せて固定する。これにより造花花びら（３）がしっかりと棒軸（１）に装着される。
本考案は、以上のような構成よりなる展示花びら飾りである。
【考案の効果】
【０００５】  本考案の造花花びら（３）を取り付けるのに、紐や針金等でいちいち縛る必要がなく、割管（４）を挿入するだけで良く、また分解して外す場合も割管（４）を抜くだけで良いので、組立および撤去時間が大幅に短縮する。また、ボンド等の接着剤を使用しないので、分解撤去が容易であり、破棄するのにも環境悪化の懸念を考える必要もない。
また、展示会場の設置場所に発送したり、その他梱包するのにかさばらないでコンパクトであり、保管費、作業費、運搬費等諸経費が大幅に改善された。
【考案を実施するための最良の形態】
【０００６】  本考案は図１、図２のごとく棒軸（１）に造花花びら（３）の花びら下部（２）を縦軸方向に被せて巻いて、棒軸（１）に密着状態にして割管（４）を挿入して、固定する。【０００７】  このように非常に簡単な固定装着である。図３のごとく造花花びら（３）を複数取り付けて完成する。【０００８】  本考案は、以上のような構成であり、これを使用するには、造花花びら（３）の花びら下部（２）を棒軸（１）に乗せて被せて、割管（４）を挿入して固定する。これを花びら数だけ繰り返し、複数付けたところで完成とする。これを幹となる太軸に差し込んで取り付ければ、展示場の飾りとなるのである。【０００９】  本考案は、造花花びら（３）の変わりに、フラッグのような旗飾りにしても良い。この場合も、花びら下部（３）のような取り付け部分は、同じ構造に形成してあるので、同様に利用できる。このように、いろいろな飾り品を取り付け変化させる事が可能である。
【図面の簡単な説明】
【００１０】
【図１】    本考案の組立説明図である。
【図２】    本考案の造花花びらの固定説明図である。
【図３】    本考案の完成図である。
【図４】    本考案の展示状況の説明図である。
【符号の説明】
【００１１】    １棒軸
２花びら下部
３造花花びら
４割管
【図１】
0003102825.tif 000002
【図２】
0003102825.tif 000003
【図３】
0003102825.tif 000004
【図４】
0003102825.tif 000005
(57)【要約】【課題】  電線束３の保護処置作業を容易に行い、電線被覆の傷や汚れを防止し、電線使用時の電線の絡みを防止する。【解決手段】  電線束保護カバー１の形状を電線束３全体を覆える袋状とし、電線束保護カバー開口部８に伸縮自在のゴム紐４を配し、電線束３へのカバー掛け作業を容易にした。さらに、電線の絡みを防止するため、電線を半固定できる電線引き出し口６を有する電線保持具２を設けた。【選択図】  図１
0003102824.tif 000002
【実用新案登録請求の範囲】
【請求項１】
電線引き出し口６を有する電線保持具２と、開口部８の周囲にゴム紐４を配した袋状の電線束保護カバー１。
【考案の詳細な説明】
【技術分野】
【０００１】  本考案は、電線被覆の傷や汚れに対する保護、及び電線の絡みを防止するための電線束保護カバーに関するものである。
【技術背景】
【０００２】  従来、電線束を保護するためには、図５に示す通り、電線束に幅数十ｍｍの保護紙７を螺旋状に巻き付けていた。
【０００３】  しかし、この種の保護方法では下記の問題点があった。
（１）保護紙の巻き付け作業に手間がかかる。
（２）保護紙を取り除いた後、電線の被覆に傷がつきやすい。
（３）保護紙を取り除いた後、電線の被覆が汚れやすい。
（４）電線が絡むことがある。
【考案の開示】
【考案が解決しようとする課題】
【０００４】  解決しようとする問題点は、電線束の保護紙巻き付け作業に手間がかかること、電線使用時に傷や汚れがついてしまうこと、及び電線が絡んでしまうことである。
【課題を解決するための手段】
【０００５】  本考案は、このような課題を解決するためになされたもので、その形状を電線束全体を覆える袋状とし、容易にカバー掛けができるよう開口部には伸縮自在のゴム紐を配し、さらに、電線の絡みを防止するため、電線を半固定できる電線引き出し口を有する電線保持具を設けた。
【考案の効果】
【０００６】  本考案の電線束保護カバーを使用することにより下記の効果がある。
（１）開口部にゴム紐が配されているため、電線束に容易にカバーを掛けられる。
（２）電線使用時もカバーが掛かっているため、電線の被覆に傷がつきにくくなる。
（３）電線使用時もカバーが掛かっているため、電線の被覆が汚れにくくなる。
（４）電線保持具に電線が半固定されているため、電線が絡まなくなる。
【考案を実施するための最良の形態】
【０００７】  電線被覆の傷や汚れに対する保護と、電線の絡みを防止するという目的を、電線束全体を覆える袋状のカバーと電線保持具を一体化させることにより実現した。
【実施例】
【０００８】  図１は、本考案の実施例の断面図であり、電線束保護カバー１は、電線束３全体を覆える袋状になっている。電線束保護カバー１には、開口部８の周囲に伸縮自在のゴム紐４が配されており、容易にカバー掛けが可能である。又、電線の片端は、電線保持具２の電線引き出し口６にて半固定されており電線の絡みを防止する構造となっている。
【図面の簡単な説明】
【０００９】
【図１】電線束３に電線束保護カバー１を装着した状態の一部切欠断面図である。
【図２】電線束保護カバー１の斜視図である。
【図３】電線保持具２の平面図である。
【図４】図３に於けるＡ−Ａ′の断面図である。
【図５】従来の電線束保護方法の斜視図である。
【符号の説明】
【００１０】１  電線束保護カバー
２  電線保持具
３  電線束
４  ゴム紐
５  折り返し部
６  電線引き出し口
７  保護紙
８  電線束保護カバー開口部
【図１】
0003102824.tif 000003
【図２】
0003102824.tif 000004
【図３】
0003102824.tif 000005
【図４】
0003102824.tif 000006
【図５】
0003102824.tif 000007
(57)【要約】【課題】手荷物の中味が重い物を運ぶ時に手の痛みを緩和させるようにする。【解決手段】中空棒１に切欠２を設け、その間に買物袋の手持ち部分を差し入れし持ち運び時の手の痛みを緩和するようにした。【選択図】  図１
0003102829.tif 000002
【実用新案登録請求の範囲】
【請求項１】
中空丸棒１の切欠部２に買物袋の手持ち部分を差し入れし、持ち運ぶ器具。
【考案の詳細な説明】
【０００１】
【考案が解決しようとする課題】
従来、大きくて軽い手荷物等の持ち運びを容易にするため引掛け器具を使用している事は周知の通りであるが、この種の器具は手荷物が小さくて重い物を運ぶ時に手が非常に痛く手の痛みを緩和させることは出来ないという問題点を有していた。
【０００２】
【課題を解決するための手段】
上記目的を達成するために、中空の丸棒に切欠を設け、その間に買物袋の手持ち部分を挿脱し、持ち運ぶようにした。
【０００３】
【考案の効果】
スーパー等で買物をした時など、本考案の手持ち器具を使用すれば、手持ち部が丸みを帯びているので手の痛みを緩和させ楽に持ち運びが出来る。
【図面の簡単な説明】
【図１】手持ち器具の斜視図である。
【図２】手持ち器具の断面図である。
【図３】本考案の使用例図である。
【符号の説明】
１．中空の棒
２．切欠部
【図１】
0003102829.tif 000003
【図２】
0003102829.tif 000004
【図３】
0003102829.tif 000005
【手続補正書】
【提出日】平成15年10月29日(2003.10.29)
【手続補正１】
【補正対象書類名】明細書
【補正対象項目名】実用新案登録請求の範囲
【補正方法】変更
【補正の内容】
【実用新案登録請求の範囲】
【請求項１】
・中空丸棒１の縦方向に切欠（４ｍｍ）部２を設け、その切欠部に買い物袋（レジ袋）の手持ち部分が挿脱出来るようにした切欠部を有する中空丸棒自体の手持ち器具である。
【手続補正書】
【提出日】平成16年2月10日(2004.2.10)
【手続補正１】
【補正対象書類名】明細書
【補正対象項目名】実用新案登録請求の範囲
【補正方法】変更
【補正の内容】
【実用新案登録請求の範囲】
【請求項１】
・中空丸棒１の縦方向に４ｍｍの切欠部２を設け、その切欠部にレジ袋の手持ち部分が挿脱出来るようにした切欠部を有する中空丸棒自体の手持ち器具である。
(57)【要約】【課題】  冷房装置設置部屋の温度上昇を抑え、より早く冷却除湿し、電気代を抑える。【解決手段】  本考案は排熱ダクトを設ける事により、冷房装置設置部屋の温度上昇を抑え、冷風吸入孔を設ける事により、より早く冷却対象空間を冷す事が可能である、また、今まで冷やす事や除湿が出来なかった空間でも素人が簡単に設置できる冷房装置である。【選択図】４【実用新案登録請求の範囲】
【請求項１】
冷房装置本体に簡単にダクトを接続でき、設置する場所によって接続するダクトを自由に組み合わせる事の出来る冷房装置
【考案の詳細な説明】
【技術分野】
【０００１】本考案は冷房装置本体に排熱、排熱側吸気、冷却側吸気、冷却側排気の４箇所に取り外しのできるダクトを備える事のできる冷房装置である。
【背景技術】
【０００２】従来の冷房装置は冷却側排気ダクトのみで、冷却側吸気ダクト、排熱ダクト、排熱側吸気ダクトが設けられていない為、使用可能範囲が限られていた。
【考案の開示】
【考案が解決しようとする課題】
【０００３】１  設置場所が限られる。
２  冷房装置から排出される熱で小型冷房装置設置室内の温度が暑くなる。
３  極力電気代を抑える為に冷却空間を短時間に冷す必要がある。
【課題を解決するための手段】
【０００４】１  取り付けるダクトを組み合わせる事が出来る為、冷却したい空間内外、どこにでも設置可能である。
２  排熱ダクトを設ける事により、排熱を室外に排出でき、小型冷房装置設置室内の温度上昇が抑えられる。
３  冷風吸気ダクト、冷風排気ダクトを設ける事により、一度冷却した空気を循環する為、冷却する空間をより早く冷却、除湿が可能になる。
【考案の効果】
【０００５】上述の様に、取り付けるダクトを組み合わせる事によって、場所を選ばず、より早く冷却、除湿が出来る。
【考案の実施するための最良の形態】
【０００６】冷房装置の設置している部屋の中のガラス温室内を冷却、除湿したい場合、排熱ダクトを付けることにより、部屋の温度上昇が抑えられ、冷却側吸気ダクト、冷却側排気ダクトを取り付ける事により、より短時間に冷却が可能である。
【実施例】
【０００７】以下、添付図面に従って一実施例を説明する。Ｉは冷却したい空間に冷房装置本体を置いた場合のダクトの取り付け例である。
冷房装置から排出される排熱をダクト７によって排出される為、冷却対象空間は冷却側排出ダクトから排出される冷風により冷却、除湿がより早く行う事が出来る。【０００８】冷房装置設置部屋Ｋ内のガラス水槽Ｊ内を冷却、除湿する設置例である。
【図面の簡単な説明】
【０００９】
【図１】本考案の冷房装置を上からの図面である。
【図２】本考案の横からの図面である。
【図３】冷却対象空間Ｉの中に冷房装置を設置例
【図４】部屋Ｋ内に置いてある水槽Ｊの中を冷却する場合の設置例
【図５】冷房装置の排熱側吸気孔、排熱孔ダクト接続用アダプター
【符号の説明】
【００１０】  １  冷房装置吸入孔
２  冷房装置排熱孔
３  冷却側吸入孔
４  冷却側排出孔
５  冷房装置本体
６  冷房装置側吸入ダクト
７  冷房装置排熱ダクト
８  冷却側吸入ダクト
９  冷却側排出ダクト
１０  冷房装置の排熱側吸気孔、排熱孔ダクト用アダプター
【図１】
0003102838.tif 000002
【図２】
0003102838.tif 000003
【図３】
0003102838.tif 000004
【図４】
0003102838.tif 000005
【図５】
0003102838.tif 000006
【手続補正書】
【提出日】平成16年2月26日(2004.2.26)
【手続補正１】
【補正対象書類名】実用新案登録請求の範囲
【補正対象項目名】全文
【補正方法】変更
【補正の内容】
【書類名】  実用新案登録請求の範囲  【請求項１】        冷房装置本体に排熱、排熱側吸気、冷却側吸気、冷却側排気の４                      箇所にダクトまたはアダプター接続部があり、簡単にダクトを取                      り付けられる構造で、設置する場所によって接続するダクトを自                      由に組み合わせる事の出来る小型冷房装置。＊＊＊
(57)【要約】【課題】  従来抽出容器（マヨネーズ、ケチャップ等の容器）は、容量の変化とともに容器が変形し、外観が悪くなり、内部に少量くっついて残ってしまい、これを余すことなく取り除くことができなかった。本考案は、これらの欠点を、解消することを特徴とするものであり、経済的、精神的に快適な日常生活を送るためになされたものである。【解決手段】  従来抽出容器（マヨネーズ、ケチャップ等の容器）は、蓋（１）、本体（２）で一体を成していた。これに、新たに伸縮素材でできた、ひだを有した袋（３）を中に入れ、尚且つ取り出して使用することで、従来抽出容器（マヨネーズ、ケチャップ等の容器）の欠点を、解消できるものである。【選択図】  図  １【実用新案登録請求の範囲】
【請求項１】
従来抽出容器（マヨネーズ、ケチャップ等の容器）本体の中に入れ、尚且つ取り出して使用する、着脱式の伸縮素材でできた、ひだを有した袋。
【考案の詳細な説明】
【技術分野】
【０００１】  この実用新案は、従来抽出容器（マヨネーズ、ケチャップ等の容器）の本体（２）内部に少量くっついて残ったものを、余すことなく取り除くことができないという欠点を、解消するためになされた、着脱式の伸縮素材でできた、ひだを有した袋（３）に関するものである。
【背景技術】
【０００２】  従来抽出容器（マヨネーズ、ケチャップ等の容器）は、本体（２）に入っている容量を、余すことなく取り除くことが難しく、少量くっついて残ってしまっていた。そこで、容器を逆さにして保管したりして、方法を工夫していた。それでもまだ、余すことなく取り除くことができなかった。
【考案の開示】
【考案が解決しようとする課題】
【０００３】  これには次のような欠点があった。
（イ）  容量の変化とともに容器が変形し、外観が悪くなる。
（ロ）  少量くっついて残ってしまうので、不経済である。
（ハ）  くっついたものを、取り除くことができないので、不快である。
本考案は、これらの欠点を解消するためになされたものである。
【課題を解決するための手段】
【０００４】  従来抽出容器（マヨネーズ、ケチャップ等の容器）は、蓋（１）、本体（２）で一体を成していた。本考案は、新たに本体（２）の中に入れ、尚且つ取り出して使用することで、内部に少量くっついて残ったものを、余すことなく取り除くことができないという欠点を、解消できるものである。
本考案は、新たに本体（２）の中に入れ、尚且つ取り出して使用する、着脱式の伸縮素材でできた、ひだを有した袋（３）である。
【考案の効果】
【０００５】  これには次のような効果がある。
（イ）  容量が変化しても、あまり外観が変わらない。
（ロ）  余すことなく、容易に取り除くことができるので、経済的である。
（ハ）  くっついたものを、容易に取り除くことができるので、気持ちがいい。
本考案は、以上のような効果をもたらすものである。
【考案を実施するための最良の形態】
【０００６】  以下、本考案の実施の形態について説明する。
（イ）  従来抽出容器（マヨネーズ、ケチャップ等の容器）は、蓋（１）、本体（２）で一体である。
（ロ）  従来抽出容器（マヨネーズ、ケチャップ等の容器）に、新たに着脱式の伸縮素材でできた、ひだを有した袋（３）を設ける。
本考案を使用する時は、蓋（１）をあけ、本体（２）の下部を押して使用する。押す力と、伸縮素材でひだを有していることで、あまり外観が変わることなく、絞り出すことができる。しだいに伸縮素材でできた、ひだを有した袋（３）は、本体（２）上部に配されていき、図２の状態なる。この状態は、まだ少量のものが残っている。つぎに、それを取り出して使うことで、容易に絞り出すことができる。また裏返しにして、少量くっついて残ったものを、容易に余すことなく取り除くことができる。
【図面の簡単な説明】
【０００７】
【図１】  本体（２）に、多量のものが入った、ひだを有した袋（３）を入れた、斜透視図である。
【図２】  本体（２）に、ひだを有した袋（３）を入れた、斜透視図である。
【図３】  ひだを有した袋（３）を上方向に、僅かの力で引っ張った状態の斜視図である。
【符号の説明】
【０００８】  １    蓋
２    本体
３    ひだを有した袋
【図１】
0003102831.tif 000002
【図２】
0003102831.tif 000003
【図３】
0003102831.tif 000004
【手続補正書】
【提出日】平成15年12月24日(2003.12.24)
【手続補正１】
【補正対象書類名】実用新案登録請求の範囲
【補正対象項目名】全文
【補正方法】変更
【補正の内容】
【実用新案登録請求の範囲】
【請求項１】
マヨネーズ、ケチャップ等の抽出容器本体の中に入れ、尚且つ取り出して使用する、着脱式の伸縮素材でできた、ひだを有した袋。
【手続補正２】
【補正対象書類名】明細書
【補正対象項目名】０００１
【補正方法】変更
【補正の内容】
【０００１】  この実用新案は、マヨネーズ、ケチャップ等の抽出容器の本体（２）内部に少量くっついて残ったものを、余すことなく取り除くことができないという欠点を、解消するためになされた、着脱式の伸縮素材でできた、ひだを有した袋（３）に関するものである。
【手続補正３】
【補正対象書類名】明細書
【補正対象項目名】０００２
【補正方法】変更
【補正の内容】
【０００２】  マヨネーズ、ケチャップ等の抽出容器は、本体（２）に入っている容量を、余すことなく取り除くことが難しく、少量くっついて残ってしまっていた。そこで、容器を逆さにして保管したりして、方法を工夫していた。それでもまだ、余すことなく取り除くことができなかった。
【手続補正４】
【補正対象書類名】明細書
【補正対象項目名】０００４
【補正方法】変更
【補正の内容】
【０００４】  マヨネーズ、ケチャップ等の抽出容器は、蓋（１）、本体（２）で一体を成していた。本考案は、新たに本体（２）の中に入れ、尚且つ取り出して使用することで、内部に少量くっついて残ったものを、余すことなく取り除くことができないという欠点を、解消できるものである。
本考案は、新たに本体（２）の中に入れ、尚且つ取り出して使用する、着脱式の伸縮素材でできた、ひだを有した袋（３）である。
【手続補正５】
【補正対象書類名】明細書
【補正対象項目名】０００６
【補正方法】変更
【補正の内容】
【０００６】  以下、本考案の実施の形態について説明する。
（イ）  マヨネーズ、ケチャップ等の抽出容器は、蓋（１）、本体（２）で一体である。
（ロ）  マヨネーズ、ケチャップ等の抽出容器に、新たに着脱式の伸縮素材でできた、ひだを有した袋（３）を設ける。
本考案を使用する時は、マヨネーズ、ケチャップ等の抽出容器の蓋（１）をあけ、本体（２）内部に、本考案である着脱式の伸縮素材でできた、ひだを有した袋（３）を入れる。そこに相当量のものを入れて、絞り出す。まず本体（３）下部を押す。そうすると押す力と、伸縮素材でひだを有していることで、あまり外観が変わることなく、絞り出すことができる。しだいに本考案である伸縮素材でできた、ひだを有した袋（３）は、本体（２）上部に配されていき、図２の状態になる。この状態は、まだ少量のものが残っている。つぎに、それを取り出して使うことで、容易に絞り出すことができる。また裏返しにして、少量くっついて残ったものを、容易に余すことなく取り除くことができる。